(57)【要約】【課題】映像信号出力装置において、映像信号の記録（録画）処理とパーシャルＴＳの多重化処理、トランスコード処理を同時に行うことは、大変な負荷であり、これを解決する具体的な技術の開示が望まれていた。【解決手段】所定の映像コンテンツに係る高能率符号化された映像信号を受信し、この映像信号にトランスコード処理を施して出力するトランスコード処理手段を備える。また、前記所定の映像コンテンツに係るトランスポートストリーム（ＴＳ）信号を受信し、このＴＳ信号からパーシャルＴＳ信号を生成して出力するパーシャルＴＳ信号生成手段を備える。また、前記トランスコード処理が施された映像信号と前記生成されたパーシャルＴＳ信号を多重化してＴＳ形式で出力する多重化手段を備える。【選択図】  図２
2012005052.tif 000002
【特許請求の範囲】
【請求項１】
所定の映像コンテンツに係る高能率符号化された映像信号を受信し、この映像信号にトランスコード処理を施して出力するトランスコード処理手段と、
前記所定の映像コンテンツに係るトランスポートストリーム（ＴＳ）信号を受信し、このＴＳ信号からパーシャルＴＳ信号を生成して出力するパーシャルＴＳ信号生成手段と、
前記トランスコード処理が施された映像信号と前記生成されたパーシャルＴＳ信号をＴＳ形式で多重化して出力する多重化手段を備える映像信号出力装置。
【請求項２】
複数の映像コンテンツに係る高能率符号化された映像信号を連続的に受信し、前記トランスコード処理及び前記パーシャルＴＳ信号の生成、前記トランスコード処理が施された映像信号と生成されたパーシャルＴＳ信号の多重化を、複数の映像コンテンツに係る映像信号に対して行う請求項１に記載の映像信号出力装置。
【請求項３】
請求項１または２に記載の映像信号出力装置と、
前記映像信号出力装置からＴＳ形式で出力された、前記トランスコード処理が施された映像信号と前記生成されたパーシャルＴＳ信号が多重化された信号を受信し、この多重化された信号を記録媒体に記録するように制御する記録制御手段を備える映像信号記録システム。
【請求項４】
前記映像信号出力装置と前記記録制御手段は別体で構成され、前記映像信号出力装置から出力された前記トランスコード処理が施された映像信号と前記生成されたパーシャルＴＳ信号が多重化された信号を前記記録制御手段が受信し、記録媒体に記録するように制御する請求項３に記載の映像信号記録システム。
【請求項５】
所定の映像コンテンツに係る高能率符号化された映像信号を受信し、この映像信号にトランスコード処理を施して出力するステップと、
前記所定の映像コンテンツに係るトランスポートストリーム（ＴＳ）信号を受信し、このＴＳ信号からパーシャルＴＳ信号を生成して出力するステップと、
前記トランスコード処理が施された映像信号と前記生成されたパーシャルＴＳ信号を多重化してＴＳ形式で出力するステップを備える映像信号出力方法。
【発明の詳細な説明】
【技術分野】
【０００１】
本発明の実施形態は、映像信号を受信し、映像処理を施して出力する映像信号出力装置に関する。
【背景技術】
【０００２】
近年、デジタルテレビ（ＤＴＶ）やケーブルＴＶ（ＣＡＴＶ）用受信装置、ＤＶＤ等の映像信号受信装置において、IEEE1394に対応した機器が普及している。
【０００３】
これらの映像信号出力装置は、例えば、映像コンテンツに係るデジタル映像を受信し、トランスポートストリーム（ＴＳ）信号からパーシャルＴＳ信号を生成し、デジタル映像信号とパーシャルＴＳ信号を記録媒体へ記録（録画）する。
【０００４】
しかし、上記記録（録画）処理の処理量自体が大きいため、記録（録画）処理とパーシャルＴＳの多重化処理を同時に行うことは、映像信号出力装置にとって大変な負荷となっていた。
【０００５】
また、近年、高能率符号化されたデジタル映像をデコードすることなしに、より符号化効率の高い高能率符号化形式へ変換するトランスコード(Transcode)と呼ばれる技術が普及しつつある。
【０００６】
トランスコードにより、例えば、ビットレートが１6Mbpsのデジタル映像を8Mbpsにすることができる。このように、トランスコードにより映像データのデータ量を小さくすることが可能になることから、映像を記録（録画）する用途で利用されている。
【０００７】
しかし、上記のように、記録（録画）処理に係る処理量が大きいため、記録（録画）処理とトランスコード処理を同時に行うことは、映像出力装置にとって大変な負荷となっていた。
【０００８】
また、記録（録画）処理とパーシャルＴＳの多重化処理、トランスコード処理を同時に行うことは、映像出力装置にとって、さらに大変な負荷となっていた。
また、近年、複数の番組を同時に、連続的に受信し、録画装置にそのまま録画する“丸録り”ができるようになっているが、複数の番組を録画装置に連続的に記録（録画）する場合は、さらに大変な負荷が予想され、これを解決することが課題となっていた。
【先行技術文献】
【特許文献】
【０００９】
【特許文献１】特開２００８−２７７８８０号公報
【発明の概要】
【発明が解決しようとする課題】
【００１０】
映像信号出力装置において、映像信号の記録（録画）処理とパーシャルＴＳの多重化処理、トランスコード処理を同時に行うことは、大変な負荷であり、これを解決する具体的な技術の開示が望まれていた。
【課題を解決するための手段】
【００１１】
実施形態の映像出力装置は、所定の映像コンテンツに係る高能率符号化された映像信号を受信し、この映像信号にトランスコード処理を施して出力するトランスコード処理手段を備える。
【００１２】
また、前記所定の映像コンテンツに係るトランスポートストリーム（ＴＳ）信号を受信し、このＴＳ信号からパーシャルＴＳ信号を生成して出力するパーシャルＴＳ信号生成手段を備える。
【００１３】
また、前記トランスコード処理が施された映像信号と前記生成されたパーシャルＴＳ信号を多重化してＴＳ形式で出力する多重化手段を備える。
【図面の簡単な説明】
【００１４】
【図１】実施形態に係わる映像信号記録（録画）システムの外観を示す図。
【図２】実施形態に係わる映像信号出力装置を説明するブロック図。
【図３】実施形態に係わる映像信号記録（録画）システムの処理を説明するフローチャート。
【発明を実施するための形態】
【００１５】
以下、図面を参照し、実施の形態を説明する。
図１は、実施形態に係わる映像信号記録（録画）システムの外観を示す図である。
ここでは、一例としてデジタルテレビ（ＤＴＶ）の例を示しているが、ケーブルＴＶ（ＣＡＴＶ）用受信装置（ＳＴＢ）、ＤＶＤ等の映像信号受信装置にも適用可能である。
【００１６】
符号１は映像信号受信装置（デジタルＴＶ）、符号２はアンテナ、符号３ａ、３ｂ、３ｃ、３ｄ、３ｅ、３ｆはチューナ、符号４は信号処理部、符号５は映像処理部、符号６は音声処理部、符号７は表示処理部、符号８は表示装置、符号９はスピーカ、符号１０はバス、符号１１は制御部、符号１２はＭＰＵ、符号１３はＲＡＭ、符号１４はＲＯＭ、符号１５はフラッシュメモリ、符号１６は録画装置、符号１７は外部インターフェース、符号１８は外部録画装置、符号１９は操作受信部、符号２０は操作機器（リモートコントローラ）、符号２１は送受信部、符号２２は録画番組表生成部、符号２３は番組表作成部、符号２６はインターネットである。
【００１７】
符号２５ａ、２５ｂは放送番組を放送する放送局である。放送番組は放送局２５ａ、２５ｂ等、複数の放送局から複数の番組が放送される。
アンテナ２は映像表示装置（録画装置）１に接続される。符号３ａ、３ｂ、３ｃ、３ｄ、３ｅ、３ｆはチューナである。ここでは複数のチューナが構成される。
複数の放送局２５ａ、２５ｂ等から放送波の形態で放送された複数の番組（放送信号）が、アンテナ２で受信され、チューナ３ａ、３ｂ、３ｃ、３ｄ、３ｅ、３ｆに送信される。チューナ３ａ、３ｂ、３ｃ、３ｄ、３ｅ、３ｆでは、複数の番組（放送信号）を選局受信し、信号処理部４へ出力する。
【００１８】
ここでは、制御部１１のＭＰＵ１２は、チューナ（３ａ、３ｂ、３ｃ、３ｄ、３ｅ、３ｆ）、信号処理部４、映像処理部５、音声処理部６、表示処理部７、ＲＡＭ１３、ＲＯＭ１４、フラッシュメモリ１５、録画装置１６、外部インターフェース１７、操作受信部１９、操作機器（リモートコントローラ）２０、送受信部２１とそれぞれ、バス１０を介して接続され、これらを制御する。
【００１９】
信号処理部４は、チューナ３ａ、３ｂ、３ｃ、３ｄ、３ｅ、３ｆで選局され、同時（並列）に送信された複数の番組に係る映像信号に同時（並列）にデコード処理を施し、トランスポートストリーム（ＴＳ）のフォーマットで、録画装置１６へ映像信号を出力する。
【００２０】
録画装置１６は、ＨＤＤやＳＳＤ等の記録（録画）媒体を備えた大容量の録画装置（映像信号蓄積装置）であり、ここでは映像表示装置１の内部に構成される。
録画装置１６は、トランスポートストリーム（ＴＳ）のフォーマットで送信された映像信号を連続的に受信し、受信した複数の放送番組を全て、録画装置１６に録画する（丸録り）。
【００２１】
ユーザに指定され、“丸録り”された映像信号の中から切り出された（抽出された）映像信号は信号処理部４でデコード処理され、それぞれ音声信号と映像信号を抽出し、出力する。音声信号は音声処理部６に出力される。映像信号は映像処理部５に出力される。
【００２２】
音声処理部６は出力された音声信号にデコード処理を行い、スピーカ９へ出力する。スピーカ９はデコード処理された音声信号を受信し、音声に変換して出力する。
映像処理部５は出力された映像信号にデコード処理を行い、表示処理部７へ出力する。表示処理部７は色や表示位置等の表示処理を行い、表示装置８へ出力する。表示装置８は表示処理された映像信号を受信し、図示しない表示パネル等の表示部に表示する。
【００２３】
この実施の形態においては、外部インターフェース１７を介して、映像表示装置１の外部にＨＤＤやＳＳＤ等の記憶媒体を備える外部録画装置１８が接続され、上記録（録画）画装置１６と同様に用いることが可能である。
【００２４】
また、操作受信部１９を介して、リモートコントローラやキーボード等の操作機器２０が接続され、映像表示装置１のユーザ操作が可能である。
また、送受信部２１を介して、インターネット２６に接続され、インターネット通信が可能である。
図２は、実施形態に係わる映像信号受信装置（デジタルＴＶ）のブロック図である。
符号３はチューナ、符号４００は復調器、符号１００はトランスコーダ、符号２００は録画制御部、符号１６はデジタル映像信号（ＴＳ）を記録（録画）する録画装置である。
【００２５】
この実施の形態においては、トランスコーダ１００と録画制御部２００は別体で構成される。
ここでは、チューナ３が１つの例を用いて説明を行うが、上記のように、チューナ３が複数の構成でも良い。
デジタル映像が例えばデジタル放送波で送信され、チューナ３で受信される。ここで受信されたデジタル放送波は、復調器４００で復調され、MPEGに規定されているトランスポートストリーム（ＴＳ）が抽出され、出力される。
【００２６】
復調器４００から出力されたＴＳは、トランスコーダ１００に入力される。
トランスコーダ１００は、デジタル映像（ビデオデータ）を、例えば、ＭＰＥＧ２形式からＨ．２６４形式にトランスコードして出力する。上記のように、トランスコード処理は、デジタル映像を別の符号化形式に変換する技術である。
【００２７】
以下に説明するように、トランスコーダ１００でトランスコードされたデジタル映像（ビデオデータ）は、パーシャルＴＳ信号が多重化され、録画制御部２００に入力される。
【００２８】
録画制御部２００では、入力されたデジタル映像（ＴＳ）を、例えば、ＨＤＤ装置等の録画装置１６に記録（録画）する。
次に、トランスコーダ１００の構成を説明する。
符号１０１はＴＳパケットが入力されるＴＳ入力部、符号１０２はデマックス処理およびデスクランブル処理部、符号１０３はトランスコード処理部、符号１０４は遅延バッファ、符号１０５はＰＳＩ処理部、符号１０６はＲｅｍｕｘ処理部、符号１０７はＴＳ出力部、符号１０８はホストインターフェース、符号１０９は制御部である。
【００２９】
ＴＳ入力部１０１は、チューナ３で受信されたデジタル放送を受信し、デマックス処理およびデスクランブル処理部１０２に向けて出力する。
デマックス処理およびデスクランブル処理部１０２は、デジタル放送を受信し、ホストインターフェース１０８を介して、録画制御部２００からＰＩＤ（Packet ID）、スクランブル鍵等の情報が設定される。
【００３０】
そして、録画制御部２００から設定されたＰＩＤ（Packet ID）、スクランブル鍵等の情報に基づいて、デマックス処理およびデスクランブル処理を行い、デジタル映像（ビデオデータ）およびＴＳ信号を抽出して出力する。
【００３１】
この時、例えば、ユーザによって録画指示された番組に係るデジタル映像（ビデオデータ）およびＴＳ信号が抽出される。この録画指示される番組は、一つに限らず、例えば上記“丸録り”の場合は、同時に、連続的に受信する複数の番組が抽出されることも可能である。ここでは、例えば、デジタル映像（ビデオデータ）はＭＰＥＧ２形式である。
【００３２】
トランスコード処理部１０３では、ＭＰＥＧ２形式のデジタル映像（ビデオデータ）を受信し、上記録画制御部２００からの設定に従い、例えば、ＭＰＥＧ２形式からＨ．２６４形式にトランスコード処理を行い、トランスコード処理されたデジタル映像（ビデオデータ）をＲｅｍｕｘ処理部１０６に向けて出力する。
【００３３】
また、ＰＳＩ処理部１０５は、デマックス処理およびデスクランブル処理部１０２で抽出されたＴＳ信号を受信し、このＴＳ信号から、ＰＳＩ情報（Program Specific Information）を取得する。
【００３４】
ＰＳＩ処理部１０５は、この取得されたＰＳＩ情報から、ユーザに指定された番組のパーシャルＴＳ信号（ＳＩＴ、ＤＩＴを含む）を作成する。
また、ＰＳＩ処理部１０５は、ＴＳ信号からＣＡＴ、ＥＭＭをフィルタリングして保持する。
また、ＰＳＩ処理部１０５は、ＰＡＴ、ＰＭＴ、ＥＣＭを取得し、ホストインターフェース１０８およびホストインターフェース２０６を経由して、録画制御部２００に向けて出力する。
【００３５】
ＰＳＩ情報は、番組特定情報と呼ばれ、番組を選択するのに必要な情報である。PAT、NIT、PMT、CATの４つからなる、デジタル放送の基本的な情報である。
【００３６】
ＰＡＴは、プログラム・アロケーション・テーブルの略である。TS内のPMTのPIDが含まれる。
NITは、ネットワーク・インフォーメーション・テーブルの略である。ネットワーク内の全ｃｈの情報、周波数情報が記述されている。
ＰＭＴは、プログラム・マップ・テーブルの略である。１ｃｈ分の映像、音声、データなどの情報である。
ＣＡＴは、コンディション・アクセス・テーブルの略である。限定受信の情報である。
ＳＩＴは、Selection Information Tableの略である。パーシャルトランスポートストリーム（D-VHSから出力されるILINKのTS）で伝送される番組の情報が記述されている。
【００３７】
ＤＩＴは、ディスコンティニュティ・インフォメーション・テーブルの略である。パーシャルTSの不連続部に挿入される。
ＥＭＭは、エンタイトルメント・マネージメント・メッセージの略である。加入者毎の契約情報である。
ＥＣＭは、エンタイトルメント・コントール・メッセージの略である。番組情報、デスクランブルの鍵、スクランブルのON/OFF等の情報が記述されている。
また、オーディオ、字幕、データ放送等のＴＳパケットは、一時的に、遅延バッファ１０４に保持される。
トランスコード処理部１０３でＨ．２６４形式にトランスコード処理された映像信号（ビデオデータ）と、ＰＳＩ処理部１０５で作成されたパーシャルＴＳ信号（ＣＡＴ、ＥＭＭを含む）と、遅延バッファ１０４に保持されているＴＳパケットは、Ｒｅｍｕｘ処理部１０６で多重化され、ＴＳ出力部１０７からこの多重化信号がＴＳ形式で出力される。
【００３８】
ここでは、制御部１０９は、ＴＳ入力部１０１、デマックス処理およびデスクランブル処理部１０２、トランスコード処理部１０３、遅延バッファ１０４、ＰＳＩ処理部１０５、Ｒｅｍｕｘ処理部１０６、ＴＳ出力部１０７、ホストインターフェース１０８等を制御する。
【００３９】
符号２０１はＴＳ入力部、符号２０２はＴＳ処理部、符号２０３は録画処理部、符号２０４は録画装置ＩＦ、符号２０５はＣＡＳ管理部、符号２０６はホストインターフェース、符号２０７は制御部である。
【００４０】
ＴＳ入力部２０１は、上記ＴＳ出力部１０７からＴＳ形式で出力された多重化された映像信号（ＴＳパケット）が入力され、ＴＳ処理部２０２に向けて出力する。
ＴＳ処理部２０２は、多重化された映像信号（ＴＳパケット）を受信し、フィルタリング処理を行う。そして、ＥＭＭ共通メッセージ以外のＥＭＭセクションのＴＳパケットを削除して、録画処理部２０３に向けて出力する。
【００４１】
録画処理部２０３は、ＴＳ処理部２０２から出力された映像信号（ＴＳパケット）を、録画装置ＩＦ２０４を介して、録画装置１６に記録（録画）する。
ここでは、制御部２０７は、ＴＳ入力部２０１、ＴＳ処理部２０２、録画処理部２０３、録画装置ＩＦ２０４、ＣＡＳ管理部２０５、ホストインターフェース２０６等を制御する。
【００４２】
また、録画制御部２００は、トランスコーダ１００のホストインターフェース１０８を介して出力されたＥＣＭを、ホストインターフェース２０６を介して受信し、ＣＡＳ管理部２０５に向けて出力する。
【００４３】
ＣＡＳ管理部２０５は、受信したＥＣＭに基づいて、デスクランブル鍵を取得し、ホストインターフェース２０６、ホストインターフェース１０８を介して、トランスコーダ１００のデマックス処理およびデスクランブル処理部１０２に設定する。
【００４４】
また同様に、ＣＡＳ管理部２０５は、ＰＡＴ、ＰＭＴを受信すると、Ｄｅｍｕｘ処理に必要なＰＩＤ情報を、トランスコーダ１００のデマックス処理およびデスクランブル処理部１０２に設定する。
【００４５】
上記のように、この実施の形態においては、トランスコーダ１００と録画制御部２００とは、例えば別のＩＣチップというように別体で構成される。
そして、このトランスコーダ１００において、所定の映像コンテンツに係る高能率符号化された映像信号（ＭＰＥＧ２形式）を受信し、この映像信号にトランスコード処理を施してＨ．２６４形式に変換して出力するトランスコード処理を行う。
【００４６】
また、このトランスコーダ１００において、前記所定の映像コンテンツに係るトランスポートストリーム（ＴＳ）信号を受信し、このＴＳ信号からパーシャルＴＳ信号を生成して出力する処理を行う。
【００４７】
そしてまた、このトランスコーダ１００において、前記トランスコード処理が施された映像信号と前記生成されたパーシャルＴＳ信号を多重化して出力する多重化処理を行う。
【００４８】
また、録画制御部２００は、トランスコーダ１００から出力された、上記トランスコード処理された映像信号とパーシャルＴＳ信号が多重化された信号を受信し、この多重化された信号を記録媒体に記録するように制御する。
【００４９】
このように構成することによって、トランスコーダ１００で、映像出力装置にとって負荷となるトランスコード処理とパーシャルＴＳの多重化処理を行うことが可能となる。
【００５０】
そして、トランスコーダ１００とは別体の録画制御部２００は、上記多重化された信号を受信し、この信号を記録媒体に記録するように制御することが可能となる。
これにより、録画制御部２００の負荷を軽減することが可能になり、映像信号出力装置の負荷を軽減することが可能になる。
またこれにより、例えば、上記“丸録り”のように複数の番組を連続的に受信し、録画する場合における負荷を軽減することが可能になる。
図３は、実施形態に係わる映像信号記録（録画）システムの処理を説明するフローチャート。である。
符号Ｓ１００は、ここでの開始ステップである。続いて符合Ｓ１０１を付したステップへ進む。
符号Ｓ１０１は、デジタル放送信号（ＭＰＥＧ２形式で符号化された映像信号）を受信するステップである。続いて符合Ｓ１０２を付したステップへ進む。
符号Ｓ１０２は、受信されたデジタル放送にデスクランブル処理を行うステップである。続いて符合Ｓ１０３を付したステップへ進む。
符号Ｓ１０３は、ユーザによって予め指示された、録画装置１６に録画する番組を選択するステップである。続いて符合Ｓ１０４を付したステップへ進む。
符号Ｓ１０４は、選択された番組に係る映像信号をトランスコード処理し、情報量を圧縮する（ＭＰＥＧ２形式→Ｈ．２６４形式）ステップである。続いて符合Ｓ１０５を付したステップへ進む。
【００５１】
符号Ｓ１０５は、上記デスクランブルされた指定番組の映像信号に係るＴＳ信号から、番組に必要なパーシャルＴＳ信号を生成するステップである。続いて符合Ｓ１０６を付したステップへ進む。
【００５２】
符号Ｓ１０６は、上記Ｈ．２６４形式に圧縮された映像信号と生成されたパーシャルＴＳ信号を多重化し、トランスコーダ１００から録画制御部２００に出力するステップである。続いて符合Ｓ１０７を付したステップへ進む。
【００５３】
符号Ｓ１０７は、トランスコーダ１００から出力された多重化信号を録画制御部２００で受信し、
記録装置５００への録画を制御するステップである。続いて符合Ｓ１０８を付したステップへ進む。
符号Ｓ１０８は、終了ステップであり、ここでの処理は終了する。
上記実施の形態においては、トランスコーダ１００と録画制御部２００を別体で構成する。
そして、トランスコーダ１００においてトランスコード処理とパーシャルＴＳの抽出、パーシャルＴＳの多重化処理を行い、また、録画制御部２００において、トランスコーダ１００から出力された多重化信号の録画制御を行う。
【００５４】
これによって、トランスコーダ１００および録画制御部２００それぞれの負荷を軽減することが可能になり、映像信号出力装置の負荷を軽減することが可能になる。
また、複数の番組を連続的に受信し、録画する場合においても、負荷を軽減することが可能になる。
なお、上記実施形態は、記述そのものに限定されるものではなく、実施段階では、その趣旨を逸脱しない範囲で、構成要素を種々変形して具体化することが可能である。
【符号の説明】
【００５５】
１…映像信号受信装置（デジタルＴＶ）、１００…トランスコーダ、２００…録画制御部、１０１…ＴＳ入力部、１０２…デマックス処理およびデスクランブル処理部、１０３…トランスコード処理部、１０４…遅延バッファ、１０５…ＰＳＩ処理部、１０６…Ｒｅｍｕｘ処理部、１０７…ＴＳ出力部、１０８…ホストインターフェース、１０９…制御部、２０１…ＴＳ入力部、２０２…ＴＳ処理部、２０３…録画処理部、２０４…録画装置ＩＦ、２０５…ＣＡＳ管理部、２０６…ホストインターフェース、２０７…制御部、３…チューナ、４００…復調器、１６…録画装置。
【図１】
2012005052.tif 000003
【図２】
2012005052.tif 000004
【図３】
2012005052.tif 000005